(57)【要約】【課題】コネクタによりリード線を接続する制御装置を備えた洗濯機において、制御装置を上部筐体に取り付けた状態で、リード線のコネクタを制御装置に設けたコネクタ部に挿入して接続できるようにし、作業性を向上する。【解決手段】上方を開口し内方に洗濯槽１７を有する筐体１６の上部を衣類投入口１８を有する上部筐体１９で覆い、リード線２５を接続するコネクタ部２６を有する制御装置２４を上部筐体１９の側部に配設し、制御装置２４をカバー体２７で覆い、リード線２５に接続したコネクタ３２をコネクタ部２６に着脱自在に接続する。コネクタ３２は、カバー体２７を外し制御装置２４を上部筐体１９に取り付けた状態で、略水平方向にコネクタ部２６に接続可能とする。【選択図】  図１
2004154387.tif 000002
【特許請求の範囲】
【請求項１】
上方を開口し内方に洗濯槽を有する筐体と、前記筐体の上部を覆うとともに衣類投入口を有する上部筐体と、リード線を接続するコネクタ部を有し前記上部筐体の側部に配設した制御装置と、前記制御装置を覆うカバー体と、前記リード線に接続し前記コネクタ部に着脱自在に接続するコネクタとを備え、前記コネクタは、前記カバー体を外し前記制御装置を前記上部筐体に取り付けた状態で、略水平方向に前記コネクタ部に接続可能とした洗濯機。
【請求項２】
制御装置は、上部筐体に略鉛直方向に取り付けた請求項１記載の洗濯機。
【請求項３】
コネクタ部は、略鉛直方向に取り付けた制御装置の上部近傍に設けた請求項１記載洗濯機。
【請求項４】
制御装置には、長手方向の一端に凸部を設けるとともに、他端にねじ止め部を設け、上部筐体には、前記凸部に対応する位置に引っかけ部を設け、前記凸部を前記引っかけ部に引っかけた状態で、前記ねじ止め部を上部筐体にねじ止めするよう構成した請求項１〜３のいずれか１項に記載の洗濯機。
【請求項５】
制御装置の下端に長手方向にリブを設け、上部筐体に前記リブをガイドする位置決めリブを配置した請求項１〜４記載のいずれか１項に記載の洗濯機。
【発明の詳細な説明】
【０００１】
【発明の属する技術分野】
本発明は、コネクタによりリード線を接続する制御装置を備えた洗濯機に関するものである。
【０００２】
【従来の技術】
従来、この種の洗濯機は、図５〜図８に示すように構成していた。以下、その構成について説明する。
【０００３】
図５〜図７に示すように、筐体１は上方を開口し、内方に洗濯槽２を有しており、この筐体１の上部を衣類投入口３を有する上部筐体４により覆い、衣類投入口３を蓋５に開閉自在に覆っている。上部筐体４の前部に操作表示部６を取り付け、この操作表示部６を前部パネル７で覆っており、上部筐体４の後部には、給水弁（図示せず）や制御装置８を取り付け、後部パネル９で覆っている。
【０００４】
リード線１０は、操作表示部６と給水弁や制御装置８との間や、制御装置８とモータ１１との間を電気的に接続するもので、操作表示部６や制御装置８と他の電装部品とを接続するコネクタ１２を有し、上部筐体４の側面では上部筐体４の裏面側を通し、コネクタ１２を上部筐体２の表面に配置できるように、上部筐体４に穴１３を設け、リード線１０を貫通させている（例えば、特許文献１参照）。
【０００５】
上記構成において、制御装置８にリード線１０を接続して上部筐体２に取り付けるときは、制御装置８を図８に示すような状態で手に持ったり、または上部筐体４に置いた状態で、リード線１０のコネクタ１２を制御装置８に設けたコネクタ部１４に挿入し、その後、制御装置８を上部筐体４にねじ１５により取り付けていた。
【０００６】
【特許文献１】
特開平５−１２３４９２号公報
【０００７】
【発明が解決しようとする課題】
このような従来の構成では、制御装置８を手に持ったり、または上部筐体４に置いた状態で、リード線１０のコネクタ１２を制御装置８に設けたコネクタ部１４に挿入し、上部筐体４に取り付けるため、作業時に上部筐体４を傷つけたりするという問題があり、作業性がよくなかった。
【０００８】
本発明は上記課題を解決するもので、制御装置を上部筐体に取り付けた状態で、リード線のコネクタを制御装置に設けたコネクタ部に挿入して接続できるようにし、作業性を向上することを目的としている。
【０００９】
【課題を解決するための手段】
本発明は上記目的を達成するために、上方を開口し内方に洗濯槽を有する筐体の上部を衣類投入口を有する上部筐体で覆い、リード線を接続するコネクタ部を有する制御装置を上部筐体の側部に配設し、制御装置をカバー体で覆い、リード線に接続したコネクタをコネクタ部に着脱自在に接続するよう構成し、コネクタは、カバー体を外し制御装置を上部筐体に取り付けた状態で、略水平方向にコネクタ部に接続可能としたものである。
【００１０】
これにより、制御装置を上部筐体に取り付けた状態で、リード線のコネクタを制御装置に設けたコネクタ部に挿入して接続することができ、作業性を向上することができる。また、サービス時に制御装置を外すことなく、リード線を交換することができる。
【００１１】
【発明の実施の形態】
本発明の請求項１に記載の発明は、上方を開口し内方に洗濯槽を有する筐体と、前記筐体の上部を覆うとともに衣類投入口を有する上部筐体と、リード線を接続するコネクタ部を有し前記上部筐体の側部に配設した制御装置と、前記制御装置を覆うカバー体と、前記リード線に接続し前記コネクタ部に着脱自在に接続するコネクタとを備え、前記コネクタは、前記カバー体を外し前記制御装置を前記上部筐体に取り付けた状態で、略水平方向に前記コネクタ部に接続可能としたものであり、制御装置を上部筐体に取り付けた状態で、リード線のコネクタを制御装置に設けたコネクタ部に挿入して接続することができ、リード線接続時の作業性を向上することができる。また、サービス時に制御装置を外すことなく、リード線を交換することができる。
【００１２】
請求項２に記載の発明は、上記請求項１に記載の発明において、制御装置は、上部筐体に略鉛直方向に取り付けたものであり、制御装置を上部筐体に取り付けた状態でも、リード線のコネクタを制御装置に設けたコネクタ部に容易に挿入して接続することができるため、コネクタ挿入時の作業性を向上することができる。
【００１３】
請求項３に記載の発明は、上記請求項１に記載の発明において、コネクタ部は、略鉛直方向に取り付けた制御装置の上部近傍に設けたものであり、制御装置を上部筐体に取り付けた状態でも、リード線のコネクタを制御装置に設けたコネクタ部に容易に挿入して接続することができるため、コネクタ挿入時の作業性を向上することができる。
【００１４】
請求項４に記載の発明は、上記請求項１〜３に記載の発明において、制御装置には、長手方向の一端に凸部を設けるとともに、他端にねじ止め部を設け、上部筐体には、前記凸部に対応する位置に引っかけ部を設け、前記凸部を前記引っかけ部に引っかけた状態で、前記ねじ止め部を上部筐体にねじ止めするよう構成したものであり、制御装置と上部筐体とを容易に位置決めすることができ、制御装置を上部筐体に取り付けるときの作業性を向上することができる。
【００１５】
請求項５に記載の発明は、上記請求項１〜４に記載の発明において、制御装置の下端に長手方向にリブを設け、上部筐体に前記リブをガイドする位置決めリブを配置したものであり、制御装置を上部筐体の取り付ける際、制御装置と上部筐体とを容易に位置決めすることができ、制御装置を上部筐体に取り付けるときの作業性を向上することができる。
【００１６】
【実施例】
以下、本発明の一実施例について、図面を参照しながら説明する。
【００１７】
図１および図２に示すように、筐体１６は上方を開口し、内方に洗濯槽１７を有しており、この筐体１６の上部を衣類投入口１８を有する上部筐体１９により覆い、衣類投入口１８を蓋２０により開閉自在に覆っている。上部筐体１９の前部に操作表示部２１を取り付け、この操作表示部２１を前部パネル２２で覆っており、上部筐体１９の後部には、給水弁（図示せず）を取り付け、後部パネル２３で覆っている。
【００１８】
制御装置２４は、洗濯機の動作を制御するもので、リード線２５を接続するコネクタ部２６を有し、上部筐体１９の側部に略鉛直方向に取り付け、この制御装置２４をカバー体２７により覆うよう構成している。ここで、コネクタ部２６は、略鉛直方向に取り付けた制御装置２４の上部近傍に設けている。また、制御装置２４の前方にコネクタ２８を先端に接続したリード線２９を接続し、操作表示部２１に接続したリード線３０の先端に接続したコネクタ３１にコネクタ２８を接続できるようにしている。
【００１９】
リード線２５は、制御装置２４とモータ、給水弁（いずれも図示せず）との間を電気的に接続するもので、複数のコネクタ３２を有し、上部筐体１９の溝部３３に設置し、カバー体２７を外し制御装置２４を上部筐体２４に取り付けた状態で、制御装置２４に設けたコネクタ部２６にコネクタ３２を略水平方向に接続できるようにしている。このとき、モータに連結するリード線２５を上部筐体１９に設けた穴３４より下に垂らす。
【００２０】
制御装置２４には、図３に示すように、長手方向の一端に凸部３５を設け、他端にねじ止め部３６を設けている、また、上部筐体１９には、凸部３５に対応する位置に引っかけ部３７を設け、凸部３５の上面部３８を上部筐体１９の引っかけ部３７の上面３９に接触させて後部の位置決めを行っている。
【００２１】
また、図４に示すように、凸部３５を引っかけ部３７に引っかけた状態で、他端のねじ止め部３６の下面４０を上部筐体１９のねじ締め部４１に載置し、ねじ４２にてねじ止めするよう構成している。また、上部筐体１９のねじ締め部４１の外周に位置決めリブ４２を設け、この位置決めリブ４１ａにより制御装置２４の位置決めをおこなっている。
【００２２】
制御装置２４の下端に長手方向にリブ４３を設け、上部筐体１９にはリブ４３をガイドする位置決めリブ４４、４５を制御装置２４側を広げた形状に配置し、制御装置２４を上部筐体１９に取り付ける際、位置決めリブ４４、４５によりリブ４３の位置が自然と決まるように構成している。
【００２３】
上記構成において、制御装置２４を上部筐体１９の側部に略鉛直方向に取り付け、リード線２５のコネクタ３２を制御装置２４に設けたコネクタ部２６に略水平方向に挿入して接続する。このとき、制御装置２４は、上部筐体１９に略鉛直方向に取り付け、コネクタ部２６は、略鉛直方向に取り付けた制御装置２４の上部近傍に設けているので、制御装置２４を上部筐体１９に取り付けた状態で、リード線２５のコネクタ３２をコネクタ部２６に容易に挿入して接続することができ、この状態で、カバー体２７を取り付けて、制御装置２４を覆う。
【００２４】
ここで、制御装置２４を上部筐体１９の側部に取り付る際に、制御装置２４の長手方向の一端に設けた凸部３５を上部筐体１９に設けた引っかけ部３７に引っかけた状態で、他端のねじ止め部３６を上部筐体１９のねじ締め部４１に載置し、ねじ４２にてねじ止めすることで、ねじ締め部４１の外周に設けた位置決めリブ４１ａとともに、制御装置２４と上部筐体１９とを容易に位置決めすることができる。
【００２５】
これにより、作業者が上部筐体１９のねじ締め部４１のねじ穴と制御装置２４のねじ止め部３６のねじ穴を合わす必要がなくなり、作業者の作業性を向上することができる。さらに、固定が１本のねじ４２にも関わらず、製品の輸送時等の荷扱い時にも、強度を保つことができ、制御装置２４の安定した品質を得ることができる。
【００２６】
さらに、制御装置の下端に長手方向にリブ４３を設け、上部筐体１９にリブ４３をガイドする位置決めリブ４４、４５を配置しているので、制御装置２４を上部筐体１９の取り付ける際、位置決めリブ４４、４５がガイドとなって、位置決めすることができる。
【００２７】
以上のように本実施例によれば、カバー体２７を外し、制御装置２４を上部筐体１９に取り付けた状態で、リード線２５に接続したコネクタ３２を制御装置２４に設けたコネクタ部２６に、略水平方向に接続可能としているので、制御装置２４を先に上部筐体１９に取り付けた後でも、リード線２５のコネクタ３２を制御装置２４に設けたコネクタ部２６に挿入して接続することができ、リード線接続時の作業性を向上することができる。また、サービス時に制御装置２４を外すことなく、リード線２５を交換することができる。
【００２８】
このとき、制御装置２４は、上部筐体１９に略鉛直方向に取り付けているので、制御装置２４を上部筐体１９に取り付けた状態で、リード線２５のコネクタ３２を制御装置２４に設けたコネクタ部２６に略水平方向に容易に挿入して接続することができるため、コネクタ挿入時の作業性を向上することができる。
【００２９】
また、コネクタ部２６は、略鉛直方向に取り付けた制御装置２４の上部近傍に設けているので、リード線２５のコネクタ３２をコネクタ部２６に容易に挿入して接続することができ、コネクタ挿入時の作業性を向上することができる。
【００３０】
また、制御装置２４には、長手方向の一端に凸部３５を設けるとともに、他端にねじ止め部３６を設け、上部筐体１９には、凸部３５に対応する位置に引っかけ部３７を設け、凸部３５を引っかけ部３７に引っかけた状態で、ねじ止め部３６を上部筐体１９にねじ止めするよう構成しているので、制御装置２４と上部筐体１９とを容易に位置決めすることができ、制御装置２４を上部筐体１９に取り付けるときの作業性を向上することができる。
【００３１】
また、制御装置２４の下端に長手方向にリブ４３を設け、上部筐体１９にリブ４３をガイドする位置決めリブ４４、４５を配置しているので、制御装置２４を上部筐体１９の取り付ける際、制御装置２４と上部筐体１９とを容易に位置決めすることができ、制御装置２４を上部筐体１９に取り付けるときの作業性を向上することができる。
【００３２】
【発明の効果】
以上のように、本発明の請求項１に記載の発明によれば、リード線に接続したコネクタは、カバー体を外し制御装置を上部筐体に取り付けた状態で、略水平方向にコネクタ部に接続可能としたことにより、制御装置を上部筐体に取り付けた状態で、リード線のコネクタを制御装置に設けたコネクタ部に挿入して接続することができ、リード線接続時の作業性を向上することができる。また、サービス時に制御装置を外すことなく、リード線を交換することができる。
【図面の簡単な説明】
【図１】本発明の一実施例の洗濯機の一部切欠した要部分解斜視図
【図２】同洗濯機の斜視図
【図３】同洗濯機の要部分解側面図
【図４】同洗濯機の要部分解側面図
【図５】従来の洗濯機の縦断面図
【図６】同洗濯機の斜視図
【図７】同洗濯機の要部分解斜視図
【図８】同洗濯機の要部分解断面図
【符号の説明】
１６  筐体
１７  洗濯槽
１８  衣類投入口
１９  上部筐体
２４  制御装置
２５  リード線
２６  コネクタ部
２７  カバー体
３２  コネクタ
【図１】
2004154387.tif 000003
【図２】
2004154387.tif 000004
【図３】
2004154387.tif 000005
【図４】
2004154387.tif 000006
【図５】
2004154387.tif 000007
【図６】
2004154387.tif 000008
【図７】
2004154387.tif 000009
【図８】
2004154387.tif 000010